(57)【要約】【課題】  コストダウンおよび組立工程の簡易化を図る電動歯ブラシおよび電動歯ブラシ用柄部を提供する。【解決手段】  回動ブラシ体を反時計回り方向に回転させて、ネック部２の抜け止め部２２ｃに抜け止めバネ３１３の先端３１３ａの傾斜面の上を乗り越えさせると、抜け止めバネ３１３の先端３１３ａは弾性により回動ブラシ体の表面側へと位置を戻すことにより回動ブラシ体が抜け止めされる。また、回動ブラシ体の抜け止めツバ３１１，３１２は、抜け止め部２２ａ，２２ｂの裏面側にそれぞれ入りこむことにより回動ブラシ体が抜け止めされる。【選択図】  図２
2005211559.tif 000002
【特許請求の範囲】
【請求項１】
柄部の先端の収納部に回動駆動される回動ブラシ体が取り付けられた電動歯ブラシであって、
前記回動ブラシ体の外周面に一体に形成されたツバと、
前記柄部の収納部の内側面に形成され、前記ツバの少なくとも一部を前記回動ブラシ体の表面側から覆う抜け止め部とを有する、
ことを特徴とする電動歯ブラシ。
【請求項２】
柄部の先端の収納部に回動駆動される回動ブラシ体が取り付けられた電動歯ブラシであって、
前記回動ブラシ体の外周面に一体に形成され、腕状部と凸状の先端部とから構成されるバネ部と、
前記柄部の収納部の内側面に形成され、前記バネ部の腕状部の少なくとも一部を前記回動ブラシ体の表面側から覆う抜け止め部とを有する、
ことを特徴とする電動歯ブラシ。
【請求項３】
柄部の先端の収納部に回動駆動される回動ブラシ体が取り付けられた電動歯ブラシであって、
前記回動ブラシ体の外周面に一体に形成されたツバと、
前記回動ブラシ体の外周面に一体に形成され、腕状部と凸状の先端部とから構成されるバネ部と、
前記柄部の収納部の内側面に形成され、前記ツバの少なくとも一部を前記回動ブラシ体の表面側から覆う第１の抜け止め部と、
前記柄部の収納部の内側面に形成され、前記バネ部の腕状部の少なくとも一部を前記回動ブラシ体の表面側から覆う第２の抜け止め部とを有する、
ことを特徴とする電動歯ブラシ。
【請求項４】
複数の前記柄部の抜け止め部を有し、
前記複数の柄部の抜け止め部間に前記回動ブラシ体のツバを挿入することにより、前記柄部の収納部に前記回動ブラシ体を位置決めする電動歯ブラシであって、
前記回動ブラシ体のツバの前記柄部の収納部に対向する面の側縁に傾斜面が形成されていることを特徴とする請求項１に記載の電動歯ブラシ。
【請求項５】
複数の前記柄部の第１の抜け止め部を有し、
前記複数の柄部の第１の抜け止め部間に前記回動ブラシ体のツバを挿入することにより、前記柄部の収納部に前記回動ブラシ体を位置決めする電動歯ブラシであって、
前記回動ブラシ体のツバの前記柄部の収納部に対向する面の側縁に傾斜面が形成されていることを特徴とする請求項３に記載の電動歯ブラシ。
【請求項６】
先端に設けられた収納部に、回動駆動される回動ブラシ体が取り付けられた電動歯ブラシ用柄部であって、
前記回動ブラシ体の外周面に一体に形成されたツバと、
前記収納部の内側面に形成され、前記ツバの少なくとも一部を前記回動ブラシ体の表面側から覆う抜け止め部とを有する、
ことを特徴とする電動歯ブラシ用柄部。
【請求項７】
先端に設けられた収納部に、回動駆動される回動ブラシ体が取り付けられた電動歯ブラシ用柄部であって、
前記回動ブラシ体の外周面に一体に形成され、腕状部と凸状の先端部とから構成されるバネ部と、
前記収納部の内側面に形成され、前記バネ部の腕状部の少なくとも一部を前記回動ブラシ体の表面側から覆う抜け止め部とを有する、
ことを特徴とする電動歯ブラシ用柄部。
【請求項８】
先端に設けられた収納部に、回動駆動される回動ブラシ体が取り付けられた電動歯ブラシ用柄部であって、
前記回動ブラシ体の外周面に一体に形成されたツバと、
前記回動ブラシ体の外周面に一体に形成され、腕状部と凸状の先端部とから構成されるバネ部と、
前記収納部の内側面に形成され、前記ツバの少なくとも一部を前記回動ブラシ体の表面側から覆う第１の抜け止め部と、
前記収納部の内側面に形成され、前記バネ部の腕状部の少なくとも一部を前記回動ブラシ体の表面側から覆う第２の抜け止め部とを有する、
ことを特徴とする電動歯ブラシ用柄部。
【請求項９】
複数の前記抜け止め部を有し、
前記複数の抜け止め部間に前記回動ブラシ体のツバを挿入することにより、前記収納部に前記回動ブラシ体を位置決めする電動歯ブラシ用柄部であって、
前記回動ブラシ体のツバの前記収納部に対向する面の側縁に傾斜面が形成されていることを特徴とする請求項６に記載の電動歯ブラシ用柄部。
【請求項１０】
複数の前記第１の抜け止め部を有し、
前記複数の第１の抜け止め部間に前記回動ブラシ体のツバを挿入することにより、前記収納部に前記回動ブラシ体を位置決めする電動歯ブラシであって、
前記回動ブラシ体のツバの前記収納部に対向する面の側縁に傾斜面が形成されていることを特徴とする請求項８に記載の電動歯ブラシ用柄部。
【発明の詳細な説明】
【技術分野】
【０００１】
本発明は、回動ブラシ体を回動させて歯磨きを行う電動歯ブラシおよび電動歯ブラシ用柄部に関する。
【背景技術】
【０００２】
電動歯ブラシには、回動ブラシ体を回動させることにより、歯をブラッシングするものがある。この電動歯ブラシの回動ブラシ体は、一般的には、ネック部（柄部）の先端に軸を介して回動自在に取り付けられている。回動ブラシ体は、回動ブラシ体とは別部材である例えばピンを抜け止めとして用いることにより、回動中等にネック部から抜けてしまうことを防止されていた（例えば、特許文献１参照。）。
【特許文献１】特開平１１−２５３２３２号公報  （第７図、第８図）
【発明の開示】
【発明が解決しようとする課題】
【０００３】
しかしながら、上述のように、回動ブラシ体がネック部から抜け出ないように、ピン等の別部材を用いて抜け止めしようとすると、コストアップにつながり、また、組立工程も複雑化してしまうという問題があった。
【０００４】
本発明は、上記実状に鑑みてなされたもので、コストダウン及び組立工程の簡易化を図ることができる電動歯ブラシおよび電動歯ブラシ用柄部を提供することを目的とする。
【課題を解決するための手段】
【０００５】
上記目的を達成するため、本発明の第１の観点に係る電動歯ブラシは、
柄部の先端の収納部に回動駆動される回動ブラシ体が取り付けられた電動歯ブラシであって、
前記回動ブラシ体の外周面に一体に形成されたツバと、
前記柄部の収納部の内側面に形成され、前記ツバの少なくとも一部を前記回動ブラシ体の表面側から覆う抜け止め部とを有する、
ことを特徴とする。
【０００６】
本発明の第２の観点に係る電動歯ブラシは、
柄部の先端の収納部に回動駆動される回動ブラシ体が取り付けられた電動歯ブラシであって、
前記回動ブラシ体の外周面に一体に形成され、腕状部と凸状の先端部とから構成されるバネ部と、
前記柄部の収納部の内側面に形成され、前記バネ部の腕状部の少なくとも一部を前記回動ブラシ体の表面側から覆う抜け止め部とを有する、
ことを特徴とする。
【０００７】
本発明の第３の観点に係る電動歯ブラシは、
柄部の先端の収納部に回動駆動される回動ブラシ体が取り付けられた電動歯ブラシであって、
前記回動ブラシ体の外周面に一体に形成されたツバと、
前記回動ブラシ体の外周面に一体に形成され、腕状部と凸状の先端部とから構成されるバネ部と、
前記柄部の収納部の内側面に形成され、前記ツバの少なくとも一部を前記回動ブラシ体の表面側から覆う第１の抜け止め部と、
前記柄部の収納部の内側面に形成され、前記バネ部の腕状部の少なくとも一部を前記回動ブラシ体の表面側から覆う第２の抜け止め部とを有する、
ことを特徴とする。
【０００８】
また、複数の前記柄部の抜け止め部を有し、
前記複数の柄部の抜け止め部間に前記回動ブラシ体のツバを挿入することにより、前記柄部の収納部に前記回動ブラシ体を位置決めするようにして、
前記回動ブラシ体のツバの前記柄部の収納部に対向する面の側縁に傾斜面を形成するようにしてもよい。
【０００９】
また、複数の前記柄部の第１の抜け止め部を有し、
前記複数の柄部の第１の抜け止め部間に前記回動ブラシ体のツバを挿入することにより、前記柄部の収納部に前記回動ブラシ体を位置決めするようにして、
前記回動ブラシ体のツバの前記柄部の収納部に対向する面の側縁に傾斜面を形成するようにしてもよい。
【００１０】
本発明の第１の観点に係る電動歯ブラシ用柄部は、
先端に設けられた収納部に、回動駆動される回動ブラシ体が取り付けられた電動歯ブラシ用柄部であって、
前記回動ブラシ体の外周面に一体に形成されたツバと、
前記収納部の内側面に形成され、前記ツバの少なくとも一部を前記回動ブラシ体の表面側から覆う抜け止め部とを有する、
ことを特徴とする。
【００１１】
本発明の第２の観点に係る電動歯ブラシ用柄部は、
先端に設けられた収納部に、回動駆動される回動ブラシ体が取り付けられた電動歯ブラシ用柄部であって、
前記回動ブラシ体の外周面に一体に形成され、腕状部と凸状の先端部とから構成されるバネ部と、
前記収納部の内側面に形成され、前記バネ部の腕状部の少なくとも一部を前記回動ブラシ体の表面側から覆う抜け止め部とを有する、
ことを特徴とする。
【００１２】
本発明の第３の観点に係る電動歯ブラシ用柄部は、
先端に設けられた収納部に、回動駆動される回動ブラシ体が取り付けられた電動歯ブラシ用柄部であって、
前記回動ブラシ体の外周面に一体に形成されたツバと、
前記回動ブラシ体の外周面に一体に形成され、腕状部と凸状の先端部とから構成されるバネ部と、
前記収納部の内側面に形成され、前記ツバの少なくとも一部を前記回動ブラシ体の表面側から覆う第１の抜け止め部と、
前記収納部の内側面に形成され、前記バネ部の腕状部の少なくとも一部を前記回動ブラシ体の表面側から覆う第２の抜け止め部とを有する、
ことを特徴とする。
【００１３】
また、複数の前記抜け止め部を有し、
前記複数の抜け止め部間に前記回動ブラシ体のツバを挿入することにより、前記収納部に前記回動ブラシ体を位置決めするようにして、
前記回動ブラシ体のツバの前記収納部に対向する面の側縁に傾斜面が形成するようにしてもよい。
【００１４】
また、複数の前記第１の抜け止め部を有し、
前記複数の第１の抜け止め部間に前記回動ブラシ体のツバを挿入することにより、前記収納部に前記回動ブラシ体を位置決めする電動歯ブラシであって、
前記回動ブラシ体のツバの前記収納部に対向する面の側縁に傾斜面が形成するようにしてもよい。
【発明の効果】
【００１５】
本発明によれば、コストダウンおよび組立工程の簡易化を図る電動歯ブラシおよび電動歯ブラシ用柄部を提供することができる。
【発明を実施するための最良の形態】
【００１６】
本発明の実施形態に係る電動歯ブラシについて、以下図面を参照して説明する。なお、図２〜図４においては、本発明の特徴をわかりやすくするために、回動ブラシ体３の回転台３１の小径部３１ａのみを記載し、回転台３１の大径部３１ｂおよび回転ブラシ３２については記載を省略している。
【００１７】
この電動歯ブラシは、図１に示すように、ケース１と、ネック部２と、回動ブラシ体３とを備えている。ネック部２は、ケース１に着脱自在に取り付けられている。回動ブラシ体３は、ネック部２の先端に回転軸４を介して回動自在に取り付けられている。
【００１８】
ケース１内には、図示しない電池、駆動モータ、運動変換装置、駆動軸が収納されている。電池は、駆動モータの駆動電源である。駆動モータの回転運動が運動変換装置により変換されて駆動軸がケース１の長手方向に直線往復運動を行う。
【００１９】
ネック部２内には、図２に示すように、連動部材６が設けられている。ネック部２がケース１に取り付けられる際に、ネック部２内の連動部材６の後端とケース１内の駆動軸の先端とが、例えば連結ブッシュ等により連結される。これにより連動部材６はネック部２の長手方向に直線往復運動をする。
【００２０】
ネック部２には、図７および図８に示すように、先端に回動ブラシ体３を回動自在に取り付けるための円形で凹状の収納部２２が形成されている。収納部２２の内側面に沿って、抜け止め部２２ａ，２２ｂおよび２２ｃがそれぞれネック部２と一体に形成されている。抜け止め部２２ａと抜け止め部２２ｂとの間隔、および、抜け止め部２２ａと抜け止め部２２ｃとの間隔は、収納部２２の内周の中心角約６０度分あけられている。
【００２１】
抜け止め部２２ａ，２２ｂは、収納部２２の内周の中心角約６０度分それぞれ形成されている。抜け止め部２２ａ，２２ｂは、庇（ひさし）状の形状からなる。抜け止め部２２ａ，２２ｂは、後述する回動ブラシ体３の抜け止めツバ３１１，３１２をそれぞれ回動ブラシ体３の表面側から覆うことによって、抜け止めツバ３１１，３１２が回動ブラシ体３の表面側へ抜けるのを防止するためのものである。抜け止め部２２ｃは、突状の形状からなり、後述する回動ブラシ体３の抜け止めバネ３１３を回動ブラシ体３の表面側から覆うことによって、抜け止めバネ３１３が回動ブラシ体３の表面側へ抜けるのを防止するとともに、抜け止めバネ３１３の回転方向の抜けを防止するためのものである。
【００２２】
また、ネック部２の収納部２２の底面の中央には、回動ブラシ体３の回転軸４の軸受け穴２２ｄが形成されている。
【００２３】
回動ブラシ体３は、図５に示すように、回転台３１と、この回転台３１に植毛され、複数の植毛束からなる回転ブラシ３２とから構成されている。回転台３１は小径部３１ａと大径部３１ｂとから構成されている。大径部３１ｂの表面に回転ブラシ３２が植設されている。
【００２４】
回動ブラシ体３の小径部３１ａには、図２〜図６に示すように、外周面に沿って、２つの抜け止めツバ３１１，３１２および抜け止めバネ３１３がそれぞれ小径部３１ａに一体に形成されている。抜け止めツバ３１１と抜け止めツバ３１２との間隔、および、抜け止めツバ３１２と抜け止めバネ３１３との間隔は、小径部３１ａの外周の中心角約６０度分あけられている。
【００２５】
抜け止めツバ３１１，３１２は、小径部３１ａの外周面に沿って、庇状となっている。抜け止めツバ３１１，３１２は、小径部３１ａの外周の中心角約６０度分それぞれ形成されている。また、回動ブラシ体３のネック部２の収納部２２への位置決めにおいて、抜け止め部２２ａと抜け止め部２２ｂとの間に挿入される抜け止めツバ３１２は、図５に示すように、裏面（ネック部２の収納部２２に対向する面）側方向に厚さを増して肉厚となっているとともに、抜け止めツバ３１２の裏面の両側縁には傾斜面３１２ａ，３１２ｂが形成されている。これにより、抜け止めツバ３１２は、回動ブラシ体３をネック部２の収納部２２への位置決めにおいて、位置決めガイドとなる。
【００２６】
抜け止めバネ３１３は、小径部３１ａの外周面に沿って延びた腕状となっており、先端３１３ａが大径部３１ｂの方向（回動ブラシ体３の表面側）に凸状となり鍵部を構成している。この抜け止めバネ３１３の先端３１３ａは、先端方向へ向かって下る傾斜面を有している。抜け止めバネ３１３は、回動ブラシ体３の回転軸４の延伸方向に弾性を有する。
【００２７】
抜け止めツバ３１１の抜け止めバネ３１３側には、小径部３１ａの外周面が突出した突出部３１４が形成されている。抜け止めバネ３１３の抜け止めツバ３１２側には、小径部３１ａの外周面が突出した突出部３１５が形成されている。
【００２８】
回動ブラシ体３の小径部３１ａの中央には、図５に示すように、回転軸４の軸受け穴３１６が形成されている。また、大径部３１ｂの裏面の中央にも、回転軸４の軸受け穴（図示せず）が形成されている。
【００２９】
回動ブラシ体３の小径部３１ａの裏面の中央から所定距離離れた位置には、図５に示すように、駆動ピン用穴３１７が形成されている。この駆動ピン用穴３１７に図２に示す駆動ピン５が挿入され、連動部材６の先端に駆動ピン５が取り付けられる。これにより、連動部材６の直線往復運動を回動ブラシ体３の回転運動に変換することができるので、モータを駆動させて、回動ブラシ体３の回転ブラシ３２により歯磨きを行うことができる。
【００３０】
次に、回動ブラシ体３をネック部２に抜け止めをして取り付ける方法について説明する。まず、ネック部２に治具により駆動ピン５が取り付けられた連動部材６を位置決めする。また、ネック部２の軸受け穴２２ｄに回転軸４を嵌合する。
【００３１】
回動ブラシ体３をネック部２の収納部２２に位置決めするには、図３に示すように、回動ブラシ体３の位置決めガイドである抜け止めツバ３１２を、ネック部２の抜け止め部２２ａと抜け止め部２２ｂとの間に挿入する。抜け止めツバ３１２の裏面には傾斜面３１２ａ，３１２ｂが形成されているために、抜け止め部２２ａと抜け止め部２２ｂとの間隔に対して、この間隔に対向する抜け止めツバ３１２の裏面の面積が小さくなり、抜け止めツバ３１２を挿入しやすくなるので、位置決めが容易になる。
【００３２】
また、回動ブラシ体３をネック部２の収納部２２に位置決めするためには、ネック部２の収納部２２の内周と、回動ブラシ体３の小径部３１ａの外周とを、同心円上に位置させなければならない。ネック部２の収納部２２の抜け止め部２２ａ，２２ｂ、抜け止め部２２ａと抜け止め部２２ｂとの間隔、および、抜け止め部２２ａと抜け止め部２２ｃとの間隔は、収納部２２の内周の中心角約６０度分ずつに形成され、また、回転ブラシ体２の抜け止めツバ３１１，３１２、抜け止めツバ３１１と抜け止めツバ３１２との間隔、および、抜け止めツバ３１２と抜け止めバネ３１３との間隔は、小径部３１ａの外周の中心角約６０度分ずつに形成されている。よって、回転ブラシ体３の抜け止めツバ３１１，３１２及び抜け止めバネ３１３、および、ネック部２の抜け止め部２２ａ，２２ｂ及び２２ｃが互いに重ならないようにすれば、ネック部２の収納部２２の内周と、回動ブラシ体３の小径部３１ａの外周とを、同心円上に位置させることができる。
【００３３】
次に、回転軸４を、回動ブラシ体３の軸受け穴３１６に嵌合させるとともに、駆動ピン５を回動ブラシ体３の駆動ピン用穴３１７に嵌合させる。上述した回動ブラシ体３のネック部２の収納部２２への位置決めにより、この嵌合の作業は容易になる。
【００３４】
そして、回動ブラシ体３を、図４に示すように、反時計回り方向に回転させて、ネック部２の抜け止め部２２ｃに抜け止めバネ３１３の先端３１３ａの傾斜面の上を乗り越えさせると、抜け止めバネ３１３の先端３１３ａは弾性により回動ブラシ体３の表面側へと位置を戻すことにより回動ブラシ体３が抜け止めされる。また、回動ブラシ体３の抜け止めツバ３１１，３１２は、抜け止め部２２ａ，２２ｂの裏面側にそれぞれ入りこむことにより回動ブラシ体３が抜け止めされる。
【００３５】
なお、本実施形態において、回動ブラシ体３が反時計回り方向に回転する際には、抜け止めツバ３１１の抜け止めバネ３１３側に形成された突出部３１４を抜け止め部２２ａに当接させることにより、回動ブラシ体３の回転規制を行うことも可能である。
【００３６】
このように本実施形態の電動歯ブラシでは、回動ブラシ体３に一体に形成された抜け止めツバ３１１，３１２及び抜け止めバネ３１３、および、ネック部２に一体に形成された抜け止め部２２ａ，２２ｂ，２２ｃにより、回動ブラシ体３の抜けを防止するようにしたので、別部材を用いることにより回動ブラシ体３の抜け止めをする必要がなくなりコストダウンとなる。
【００３７】
また、本実施形態の電動歯ブラシでは、上述したように回動ブラシ体３をネック部２に簡単に抜け止めをして取り付けることができるとともに、回動ブラシ体３の抜け止めツバ３１１，３１２及び抜け止めバネ３１３、および、ネック部２の抜け止め部２２ａ，２２ｂ及び２２ｃが、回動ブラシ体３のネック部２への位置決めにも用いられるので、電動歯ブラシ組立工程の簡易化を実現することもできる。
【００３８】
以上、実施形態を挙げて本発明を説明したが、本発明は上記実施形態に限定されるものではなく、種々変形が可能である。例えば、本実施形態では、回動ブラシ体３に抜け止めツバ３１１，３１２と抜け止めバネ３１３とを形成する例について説明したが、抜け止めツバのみ、または、抜け止めバネのみを形成するようにしてもよい。
【００３９】
また、本実施形態では、回動ブラシ体３に２つの抜け止めツバ３１１，３１２を形成する例について説明したが、一つの、または、３つ以上の抜け止めツバを形成するようにしてもよい。抜け止めバネ３１３についても、複数の抜け止めバネを形成することが可能である。
【００４０】
さらに、本実施形態では、回動ブラシ体３を駆動ピン５、連動部材６からなる運動変換装置により回動させる例について説明したが、例えばラック、ピニオンからなる運動変換装置を用いてもよいし、回動ブラシ体３を回動させる運動変換装置であれば何ら限定されるものではない。
【００４１】
また、本実施形態では、ケース１にネック部２を着脱自在に取り付ける例について説明したが、本発明はネック部２とケース１が一体である電動歯ブラシにも適用できる。
【００４２】
さらに、本実施形態において、回動ブラシ体３が反時計回り方向に回転する際に、突出部３１４により回動ブラシ体３の回転規制を行うことが可能であると説明したが、回動ブラシ体３が時計回り方向に回転した際に、抜け止めバネ３１３に形成された突出部３１５を抜け止め部２２ｂに当接させることにより、回動ブラシ体３の回転規制を行うようにしてもよい。また、このように突出部３１４，３１５により回動ブラシ体３の回転規制を行うのではなく、駆動ピン５の移動量を調整することにより、回動ブラシ体３の回転規制を行うことができることはもちろんである。
【００４３】
また、本実施形態では、抜け止めツバ３１２の裏面の両側縁に傾斜面３１２ａ，３１２ｂを形成する例について説明したが、抜け止めツバ３１２の裏面の片側縁に傾斜面を形成するようにしてもよい。また、抜け止めツバ３１１の裏面の側縁に傾斜面を形成するようにしてもよい。
【図面の簡単な説明】
【００４４】
【図１】（ａ）は本発明の実施形態に係る電動歯ブラシの正面図であり、（ｂ）は（ａ）に示した電動歯ブラシの側面図であり、（ｃ）は（ａ）に示した電動歯ブラシの背面図である。
【図２】図１に示した電動歯ブラシのヘッド周辺の一部省略拡大正面図である。
【図３】図１に示した電動歯ブラシの回転ブラシ体のネック部への位置決めを説明するための電動歯ブラシのヘッド周辺の一部省略拡大正面図である。
【図４】図１に示した電動歯ブラシの回転ブラシ体の抜け止め状態を説明するための電動歯ブラシのヘッド周辺の一部省略拡大正面図である。
【図５】図１に示した電動歯ブラシの回動ブラシ体の拡大斜視図である。
【図６】図４に示した回動ブラシ体の回転台の小径部の拡大斜視図である。
【図７】図１に示した電動歯ブラシのネック部の一部省略拡大正面図である。
【図８】図１に示した電動歯ブラシのネック部の一部省略拡大斜視図である。
【符号の説明】
【００４５】
２        ネック部
２２ａ，２２ｂ，２２ｃ  抜け止め部
３        回動ブラシ体
３１      回転台
３１ａ    小径部
３１ｂ    大径部
３１１，３１２  抜け止めツバ
３１２ａ，３１２ｂ  傾斜面
３１３    抜け止めバネ
３１３ａ  先端
４        回転軸
【図１】
2005211559.tif 000003
【図２】
2005211559.tif 000004
【図３】
2005211559.tif 000005
【図４】
2005211559.tif 000006
【図５】
2005211559.tif 000007
【図６】
2005211559.tif 000008
【図７】
2005211559.tif 000009
【図８】
2005211559.tif 000010